(57)【要約】      （修正有）【課題】小型で熱効率が良く動作音が静かで価格の安い、快適性の高い個体燃料暖房器具を提供する。【解決手段】火室の横に設けた複数の管を熱交換器として、排気を後方下部にある排気ファンまで誘導する間に冷却し、その熱を利用することによって熱効率を良くし、温風の流路抵抗が低いため、価格が安くて静かな軸流ファンが利用できる。【選択図】図１
0003140240.tif 000002
【実用新案登録請求の範囲】
【請求項１】
本体内部に火室、排気ファン、燃料供給装置、熱交換器を有する固体燃料を使用する暖房器具で、火室の横に、
排気が下降する管を複数使用し、これを熱交換器として使用する下降煙管式熱交換器を使用した固体燃料暖房器具。
【請求項２】
本考案の請求項１の熱交換器を使用する固体燃料暖房器具で、温風ファンに軸流ファンを使用することにより、動作音
を低減した固体燃料暖房器具
【考案の詳細な説明】
【技術分野】
【０００１】
本考案は、火室の横に、火室で燃焼させた排気を下降させ、下部に設けた排気ファンまで導入する管を複数設け、これを
熱交換器として用いる、下降煙管式熱交換器を利用した固体燃料暖房器具に関する。
【背景技術】
【０００２】
薪ストーブや石炭ストーブなど、従来より使用されている固体燃料を使用する暖房器具には、輻射熱を利用し、煙突効果によって
排気を行うものが一般的であった。近年の高断熱高気密住宅では、外気との圧力差等により煙突効果による排気ができにくく、また点火や消火に時間がかかり、とくに消火
は、燃え尽きるまで待つといった動作であるため、短時間で消火できる流体燃料を使用する暖房器具に利便性、安全性で劣るという
認識がある。
【０００３】
間伐材や製材の廃材などを使用した木質系燃料は、化石燃料と比べ森林として再生可能であり、ＳＯｘ などの有 害物質を
出さない等、環境への負担が少ない燃料として注目されている。前項の欠点を少なくするため、粉砕した木材を粒状に固めた
ペレットと呼ばれる固形燃料を使用する暖房器具 が登場した。これは強制給排気（ＦＦ）を備えた暖房器具で、特開２００４−１３８２５７
などがある。
【０００４】
流体燃料は、バーナーで燃焼させる場合は火炎は小さく安定しており、また横向きにすることも可能であるが、固体燃料では
火炎は大きく不安定であり、また上向きに燃焼させる必要がある。このため固体燃料では火室を大きく縦長にする必要がある。
【０００５】
実願２００５−８９８８号,特開２００４−１３８２５７号等は大きな火室の上方に温風となる空気を通す管があり、これを熱交換器として利用している。
熱交換器は火炎より著しく温度が低いため、内炎に接触するとすすを発生させるが、火室内部の低い位置に熱交換器があると、火炎が十分に燃え尽きる高さまで上昇
しきれないため、熱交換器を大きくできない。
【０００６】
また本体後方上部には燃料タンクがあるため、温風とする空気を供給するためのファンは本体後方下部にあり、熱交換器は本体前方上端付近にあるため、
経路が長く、流路抵抗が大きいため、比速度の小さい遠心式のファンを使用する必要があるが、遠心式のファンは動作音が大きく、高価で、かつ大型であるため、家庭用
の暖房で使用する場合は大きな流量を得ることができず、結果として、小さな熱交換器とあいまって熱効率を低下させる大きな要因である。
【特許文献１】実願２００５−８９８８号
【特許文献２】特開２００４−１３８２５７号
【考案の開示】
【考案が解決しようとする課題】
【０００７】
小型で熱効率の良い固体燃料暖房器具を提供する。
【０００８】
動作音の静かな固体燃料暖房器具を提供する。
【課題を解決するための手段】
【０００９】
本考案の請求項１記載の固体燃料暖房器具は、火室内に熱交換器を設けず、火室の横に、火室上端から後方下部の排気ファンに誘導する管を複数設け、
これを熱交換器として利用ことを特徴とするものである。
【００１０】
本考案の請求項２記載の固体燃料暖房器具は、温風とする空気の流路が太くて短いために流路抵抗が低いため、比速度が高く、音の静かな軸流ファンが
使用できるために音が静かであり、大流量を流せるため熱効率が良いことを特徴とするものである。
【考案の効果】
【００１１】
本考案の固体燃料暖房機は、熱効率が良いため経済的で、余分な二酸化炭素を排出しないために環境への負担が少なく。
ペレットストーブとして使用した場合は貴重な森林資源を無駄なく利用できる。
【００１２】
本考案の固体燃料暖房機は、音が静かであるため、家庭用として最適である。
【００１３】
本考案の固体燃料暖房機は、使用するファンが小型で安価であるため、小型化設計が可能であり、製造原価を低減することができる。
【００１４】
本考案の固体燃料暖房機は、熱交換器が低い位置にあるため、温風を前面下部から吹き出させることが可能であり、足元から温まるため快適性が高い。
【考案を実施するための最良の形態】
【００１５】
本考案の固体燃料暖房機は、熱効率が良く、音が静かで、小型化でき、足元から温まるため快適で、家庭用として最適である。また
ペレットストーブとした場合は、環境にやさしいペレットストーブの普及を大きく推進することが出来る
【実施例】
【００１６】
本考案の固体燃料暖房機の一例であるペレットストーブの例を図１及び図２を用いて説明する。
【００１７】
燃料供給及び灰の排出系統を図２を用いて説明する。ペレットをペレットタンク６に供給する。燃料のペレットは供給装置７
、シュート８を通り供給される。
【００１８】
燃焼及び排気の流れを図１を用いて説明する。燃焼ポット４での燃焼による火炎３は、火室２の最上部まで抵抗なく上昇する途中で燃え尽きる。
排気は火室２の最上部で左右に別れ、火室２の両側に設けた熱交換器１の最上部に誘導される。
このペレットストーブでは、熱交換器は両側に設置されているが、片側であってもよい。
【００１９】
排気は火室２の左右にある複数の管から成る熱交換器１を通って排気ファン１０に行く間に、
本体後方に有る温風ファン１１の風によって冷却される。
排気の熱を得た風は温風１２となり、本体前面下部から噴出す。
【産業上の利用可能性】
【００２０】
本考案の固体燃料暖房機は、熱効率が良く、音が静かで、小型化でき、足元から温まるため快適で、家庭用として最適である。この暖房機に使用
する熱交換器は、ペレット燃料以外に利用しても前述の長所を得られるものである。
【図面の簡単な説明】
【００２１】
【図１】本考案の実施の一形態によるペレットストーブの平面図である。
【図２】本考案の実施の一形態によるペレットストーブの側面図である。
【符号の説明】
【００２２】
１    複数の管からなる熱交換器
２    火室
３    火炎
４    燃焼ポット
５    排気の流れ
６    ペレットタンク
７    ペレット供給装置
８    シュート
９    灰受け
１０    排気ファン
１１    温風ファン
１２    温風
【図１】
0003140240.tif 000003
【図２】
0003140240.tif 000004
【手続補正書】
【提出日】平成19年12月4日(2007.12.4)
【手続補正１】
【補正対象書類名】実用新案登録請求の範囲
【補正対象項目名】請求項２
【補正方法】変更
【補正の内容】
【請求項２】
本体内部に火室、排気ファン、燃料供給装置、熱交換器を有する固体燃料を使用する暖房器具で、火室の横に、排気が下降する管を複数使用し、これを熱交換器として使用する下降煙管式熱交換器を使用した請求項１に記載の固体燃料暖房器具で、温風ファンに軸流ファンを使用することにより、動作音を低減した固体燃料暖房器具